(57)【要約】【課題】遊技の進行に係る制御処理で用いられるデータ及びプログラムの容量を低減できる遊技機を提供する。【解決手段】順序設定テーブルは、非ＲＴ状態及びボーナス成立状態における乱数判定処理で参照される内部抽選テーブルにおいて値数が対応付けられている第１当選態様領域と、ＲＢＢ作動状態における乱数判定処理で参照される内部抽選テーブルにおいて値数が対応付けられている第２当選態様領域と、を記憶し、内部抽選手段による乱数判定処理において複数種類の当選態様の当否が決定される順序として、第１当選態様領域に含まれる当選態様、第２当選態様領域に含まれる当選態様、不当選領域の順に設定されている。【選択図】図５
2020195697.tif 000002
【特許請求の範囲】
【請求項１】
複数のリールと、
小役、リプレイ及びボーナスを含む複数種類の役のうち少なくとも１つを含む複数種類の当選態様と、
前記複数種類の当選態様のそれぞれに対応付けられた複数の値数を記憶する内部抽選テーブルと、
乱数を取得し、該取得した乱数と前記内部抽選テーブルに記憶された複数の値数とを参照して前記複数種類の当選態様の当否を決定する乱数判定処理と、前記乱数判定処理で当選したと判定した当選態様に含まれる役を成立状態に設定する成立設定処理と、を行う内部抽選手段と、
前記リールの回転態様及び停止態様を制御するリール制御手段と、
前記複数のリールが停止した場合における有効ライン上の図柄組合せに基づいて、役の入賞判定を行う入賞判定手段と、
複数の遊技状態の間での遊技状態の移行に係る制御を実行する遊技状態移行制御手段と、
前記複数種類の当選態様と、前記内部抽選手段が不当選と扱う不当選領域と、を記憶し、前記内部抽選手段が前記乱数判定処理を実行する際における前記複数種類の当選態様の当否を決定する順序を設定する順序設定テーブルと、を備え、
前記複数の遊技状態は、
通常遊技状態と、
前記通常遊技状態において前記ボーナスが前記成立状態に設定されたことに基づいて移行するボーナス成立状態と、
前記ボーナス成立状態において前記ボーナスが入賞したことに基づいて移行するボーナス状態と、を含み、
前記内部抽選手段は、前記通常遊技状態及び前記ボーナス成立状態で共通の前記内部抽選テーブルを参照し、
前記順序設定テーブルは、
前記通常遊技状態及び前記ボーナス成立状態における前記乱数判定処理で参照される前記内部抽選テーブルにおいて値数が対応付けられている第１当選態様領域と、
前記ボーナス状態における前記乱数判定処理で参照される前記内部抽選テーブルにおいて値数が対応付けられている第２当選態様領域と、を記憶し、
前記内部抽選手段による前記乱数判定処理において前記複数種類の当選態様の当否が決定される順序として、前記第１当選態様領域に含まれる当選態様、前記第２当選態様領域に含まれる当選態様、前記不当選領域の順に設定されている、
ことを特徴とする遊技機。
【請求項２】
前記第１当選態様領域には、
前記ボーナスのみを有する第１ボーナス当選態様と、
前記ボーナスと他の役を含む第２ボーナス当選態様と、が含まれ、
前記順序設定テーブルは、前記内部抽選手段による前記乱数判定処理において前記複数種類の当選態様の当否が決定される順序として、前記第１ボーナス当選態様と前記第２ボーナス当選態様とが連続した順になるように設定されている、
ことを特徴とする請求項１に記載の遊技機。
【請求項３】
前記順序設定テーブルは、前記内部抽選手段による前記乱数判定処理において、前記第１ボーナス当選態様又は前記第２ボーナス当選態様が最初に当否を決定される順序に設定されている、
ことを特徴とする請求項２に記載の遊技機。
【発明の詳細な説明】
【技術分野】
【０００１】
本発明は、遊技機に関する。
【背景技術】
【０００２】
従来、外周面に図柄が配列された複数のリールを備えた遊技機（回胴式遊技機、スロットマシン）が知られている。この種の遊技機は、メダルやパチンコ玉などの遊技媒体に対して一定の遊技価値を付与し、このような遊技媒体を獲得するための遊技を行うものである。また、この種の遊技機は、遊技者の回転開始操作を契機として、内部抽選を行うとともに複数のリールの回転を開始させ、遊技者の停止操作を契機として、内部抽選の結果に応じた態様で複数のリールを停止させる制御を行っている。そして、遊技の結果は、複数のリールが停止した状態における入賞判定ライン上に表示された図柄組合せによって判定され、遊技の結果に応じてメダル等の払い出しなどが行われる。
【０００３】
上述した遊技機においては、遊技の進行や遊技媒体の付与等に関する制御処理として、乱数を生成する構成から乱数を取得し、取得した乱数とデータテーブルとを参照することで、各種抽選処理を実行する構成が知られている（例えば、特許文献１）。
【先行技術文献】
【特許文献】
【０００４】
【特許文献１】特開２０１７−１２４１４号公報
【発明の概要】
【発明が解決しようとする課題】
【０００５】
特許文献１に記載の遊技機では、乱数を用いた抽選として、役を決定する役抽選において、各乱数のそれぞれに抽選結果が対応付けられたデータテーブルである役決定テーブルを用いた役抽選を実行するように構成されている。このように構成された遊技機においては、抽選ごとに異なるデータテーブルを有することで多様な遊技性を実現可能となるが、抽選の数に比例してデータテーブルの数が増えてしまうことで、データ容量が増大してしまう虞がある。また、近年、遊技機においては、遊技の進行に係る制御処理におけるデータ容量を低減することが求められており、データテーブル自体の容量だけでなくデータテーブルを参照する制御処理に係るプログラム容量を低減することも求められている。
【０００６】
そこで、本発明は、遊技の進行に係る制御処理で用いられるデータ及びプログラムの容量を低減できる遊技機を提供することを目的としている。
【課題を解決するための手段】
【０００７】
本発明は、複数のリールと、
小役、リプレイ及びボーナスを含む複数種類の役のうち少なくとも１つを含む複数種類の当選態様と、
前記複数種類の当選態様のそれぞれに対応付けられた複数の値数を記憶する内部抽選テーブルと、
乱数を取得し、該取得した乱数と前記内部抽選テーブルに記憶された複数の値数とを参照して前記複数種類の当選態様の当否を決定する乱数判定処理と、前記乱数判定処理で当選したと判定した当選態様に含まれる役を成立状態に設定する成立設定処理と、を行う内部抽選手段と、
前記リールの回転態様及び停止態様を制御するリール制御手段と、
前記複数のリールが停止した場合における有効ライン上の図柄組合せに基づいて、役の入賞判定を行う入賞判定手段と、
複数の遊技状態の間での遊技状態の移行に係る制御を実行する遊技状態移行制御手段と、
前記複数種類の当選態様と、前記内部抽選手段が不当選と扱う不当選領域と、を記憶し、前記内部抽選手段が前記乱数判定処理を実行する際における前記複数種類の当選態様の当否を決定する順序を設定する順序設定テーブルと、を備え、
前記複数の遊技状態は、
通常遊技状態と、
前記通常遊技状態において前記ボーナスが前記成立状態に設定されたことに基づいて移行するボーナス成立状態と、
前記ボーナス成立状態において前記ボーナスが入賞したことに基づいて移行するボーナス状態と、を含み、
前記内部抽選手段は、前記通常遊技状態及び前記ボーナス成立状態で共通の前記内部抽選テーブルを参照し、
前記順序設定テーブルは、
前記通常遊技状態及び前記ボーナス成立状態における前記乱数判定処理で参照される前記内部抽選テーブルにおいて値数が対応付けられている第１当選態様領域と、
前記ボーナス状態における前記乱数判定処理で参照される前記内部抽選テーブルにおいて値数が対応付けられている第２当選態様領域と、を記憶し、
前記内部抽選手段による前記乱数判定処理において前記複数種類の当選態様の当否が決定される順序として、前記第１当選態様領域に含まれる当選態様、前記第２当選態様領域に含まれる当選態様、前記不当選領域の順に設定されている、ことを特徴とする。
【発明の効果】
【０００８】
本発明によれば、遊技の進行に係る制御処理で用いられるデータ及びプログラムの容量を低減できる遊技機を提供することができる。
【図面の簡単な説明】
【０００９】
【図１】本発明の実施形態の遊技機の外観構成を示す斜視図である。
【図２】本発明の実施形態の遊技機の機能ブロックを説明する図である。
【図３】本発明の実施形態の遊技機における内部抽選で当選可能な当選エリアと各当選エリアに含まれる当選役とを示す図である。
【図４】（Ａ）は、本発明の実施形態の遊技機における遊技状態の状態遷移図、（Ｂ）は、有利期間制御手段が制御する非有利期間及び有利期間と、指示機能制御手段が制御する指示機能状態と、に係る遷移図である。
【図５】本発明の実施例の遊技機における内部抽選テーブルを示す図である。
【図６】本発明の比較例１の遊技機における内部抽選テーブルを示す図である。
【図７】本発明の比較例２の遊技機における内部抽選テーブルを示す図である。
【図８】本発明の実施形態の遊技機において、実施例、比較例１、比較例２のそれぞれにおける乱数判定処理とボーナスの当選に係る処理と、を比較した図である。
【発明を実施するための形態】
【００１０】
以下、本実施形態について説明する。なお、以下に説明する本実施形態は、特許請求の範囲に記載された本発明の内容を不当に限定するものではない。また、本実施形態で説明される構成の全てが、本発明の必須構成要件であるとは限らない。
【００１１】
１．遊技機の構成の概要
図１は、本発明の本実施形態に係るスロットマシン１の外観構成を示す斜視図である。本実施形態のスロットマシン１は、いわゆる回胴式遊技機と呼ばれるもので、メダルを遊技媒体として用いた遊技を行う種類の遊技機である。
【００１２】
本実施形態のスロットマシン１は、収納箱ＢＸ、前面上扉ＵＤ及び前面下扉ＤＤからなる箱形の筐体内に複数のリールとしての第１リールＲ１〜第３リールＲ３からなるリールユニット３１０（図２参照）が収められている。また、筐体内のリールユニット３１０の下部には、メダルの払出装置としてのホッパーユニット３２０（図２参照）が収められている。また、本実施形態のスロットマシン１の筐体内には、ＣＰＵ、ＲＯＭ（情報記憶媒体の一例）、ＲＡＭ等を搭載し、スロットマシン１の動作を制御する制御基板も収められている。
【００１３】
図１に示す第１リールＲ１〜第３リールＲ３は、それぞれ外周面が一定の間隔で２０の領域（以下、各領域を「コマ」と記載する）に区画されており、各コマに複数種類の図柄のいずれかが配列されている。
【００１４】
前面上扉ＵＤと前面下扉ＤＤとは、個別に開閉可能に設けられている。前面上扉ＵＤには、第１リールＲ１〜第３リールＲ３の回転状態及び停止状態を観察可能にする表示窓ＤＷが設けられている。第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）をスロットマシン１の正面から表示窓ＤＷを通じて観察できるようになっている。
【００１５】
また、本実施形態のスロットマシン１では、表示窓ＤＷを通じて図柄を観察するための表示位置として、各リールについて上段、中段、下段が設けられており、各リールの表示位置の組合せによる有効ラインについて、有効ラインＬ１が設定されている。本実施形態のスロットマシン１では、１回の遊技に関して必要となるメダルの数、いわゆる規定投入数がいずれの遊技状態においても３枚に設定されており、規定投入数に相当するメダルが投入されると第１リールＲ１〜第３リールＲ３の中段によって構成される有効ラインＬ１が有効化される。
【００１６】
そして、遊技結果は、表示窓ＤＷ内の有効ラインＬ１上に停止表示された図柄組合せによって判定され、有効ラインＬ１上の図柄組合せが予め定められた役に対応した図柄組合せである場合に、その役が入賞したものとしてホッパーユニット３２０からメダルの払い出し等が行われる。
【００１７】
前面上扉ＵＤには、遊技情報表示部ＤＳが設けられている。遊技情報表示部ＤＳは、ＬＥＤ、ランプ、７セグメント表示器等からなり、メダルのクレジット数、１回の遊技におけるメダルの払出数あるいは獲得数、ボーナス状態でのメダルの払出数の合計あるいは獲得数の合計、今回の遊技で当選した役の情報、メダルの払い出しに関係するストップボタンＢ１〜ストップボタンＢ３の押し方を示唆する情報の表示等の各種遊技情報が表示される。
【００１８】
遊技情報表示部ＤＳには、７セグメント表示器から構成される主制御表示装置５００が含まれており、規定投入数のメダルが投入されスタートレバーＳＬが操作された際に、今回の遊技で当選した役の情報である当選情報に基づき作成される制御信号である当選コマンドに対応する表示である報知表示が表示され、報知表示の表示後第１リールＲ１〜第３リールＲ３が停止した際に、報知表示が終了するとともにメダルの払出数あるいは獲得数が表示される。本実施形態のスロットマシン１では、当選コマンドに応じた表示態様で主制御表示装置５００の各セグメントが点灯及び消灯する報知表示が実行される。
【００１９】
また、主制御表示装置５００には、７セグメント表示器のドットであり、後述する有利期間制御手段２００Ａ（図２参照）によって有利期間が開始され、小役の入賞が補助されることでメダルの獲得期待値が１以上となっている場合に点灯する有利期間報知部５００Ａが設けられている。また、本実施形態のスロットマシン１では、音を用いた演出を行うための音響装置３４０が前面上扉ＵＤと前面下扉ＤＤとに複数設けられている。音響装置３４０からは、遊技を補助したり、遊技を盛り上げたりするための各種の音声が出力される。
【００２０】
前面下扉ＤＤには、各種の操作手段が設けられている。操作手段としては、クレジット（貯留）されたメダルを投入する操作を行うための投入操作手段として、１枚のメダルを投入するシングルベットボタンＢＴ及び規定投入数のメダルを投入するマックスベットボタンＭＢ、第１リールＲ１〜第３リールＲ３を回転させて遊技を開始する契機となる開始操作を遊技者に実行させるための遊技開始操作手段としてのスタートレバーＳＬ、ステッピングモータにより回転駆動されている第１リールＲ１〜第３リールＲ３のそれぞれを停止させる契機となる停止操作を遊技者に実行させるための停止操作手段としてのストップボタンＢ１〜ストップボタンＢ３及びクレジットされたメダルを清算するための清算ボタンＢＳも設けられている。
【００２１】
また、前面下扉ＤＤの下部には、メダル払出口ＭＯとメダル受け皿ＭＰとが設けられており、遊技の結果に応じた枚数のメダルがメダル払出口ＭＯからメダル受け皿ＭＰへ払い出されるようになっている。また、遊技機内にクレジットされたメダルが記憶されている状態で、清算ボタンＢＳが押下された場合、清算ボタンＢＳの押下に伴ってホッパーユニット３２０からクレジット数（クレジットされたメダルの枚数）に相当する枚数のメダルを払い出す清算処理を実行し、メダル払出口ＭＯからメダル受け皿ＭＰへメダルを払い出す。
【００２２】
図２は、本実施形態のスロットマシン１の機能ブロック図である。本実施形態のスロットマシン１は、制御基板としての遊技制御手段１０によって制御される。遊技制御手段１０は、複数の操作検出手段としてのメダル投入スイッチ２１０、ベットスイッチ２２０、スタートスイッチ２３０、ストップスイッチ２４０、設定変更スイッチ２５０及びリセットスイッチ２６０の入力手段からの入力信号を受けて、遊技を実行するための各種の演算を行い、演算結果に基づいて演出装置３００、リールユニット３１０、ホッパーユニット３２０及び主制御表示装置５００等の出力手段の動作を制御する。
【００２３】
また、遊技制御手段１０は、設定変更手段１００、投入受付手段１０５、乱数生成手段１１０、内部抽選手段１２０、リール制御手段１３０、入賞判定手段１４０、払出制御手段１５０、リプレイ処理手段１６０、遊技状態移行制御手段１７０、演出制御手段１８０、記憶手段１９０、有利期間制御手段２００Ａ及び指示機能制御手段２００Ｂを含む。遊技制御手段１０を構成する各手段は、各制御処理の実行時に、記憶手段１９０に予め記憶されている各制御プログラムを読み出して実行する。
【００２４】
設定変更手段１００は、記憶手段１９０の設定値記憶手段１９１に記憶されている設定値を変更する制御（設定変更制御）を行う。設定変更手段１００は、設定変更スイッチ２５０がＯＮ状態となり設定変更を許可する状態である設定変更許可状態において、設定変更手段１００は、電源装置に設けられているリセットスイッチ２６０からの入力信号を受け付けるごとに、設定値記憶手段１９１に記憶されている設定値を設定１→設定２・・・設定６→設定１→・・・の順序で循環的に変動させる。また、スロットマシン１では、設定変更許可状態におけるスタートレバーＳＬの操作により作動するスタートスイッチ２３０からのスタート信号に基づいて設定値記憶手段１９１に記憶されている設定値を確定させて設定変更許可状態を終了する。本実施形態のスロットマシン１では、設定値記憶手段１９１において確定された設定値に応じて、内部抽選手段１２０による内部抽選で当選可能な当選エリアのうち一部の当選エリアの当選確率が変更される。つまり、設定変更手段１００は、内部抽選手段１２０による内部抽選における役の当選確率を変更可能な値である設定値を変更可能に構成されている。
【００２５】
なお、本実施形態のスロットマシン１においては、設定変更手段１００による設定変更制御が実行された場合に、遊技状態移行制御手段１７０が実行する遊技状態に係る制御及び有利期間制御手段２００Ａが実行する有利期間に係る制御が初期化されるように構成されており、遊技状態が後述する非リプレイタイム（以下、リプレイタイムを「ＲＴ」とも記載）状態に設定され、非有利期間が設定されるように構成されている。このため、スロットマシン１では、指示機能制御手段２００Ｂが設定変更前において指示機能に係る制御についても、初期化されるように構成されている。一方、スロットマシン１においては、遊技制御手段１０への電力の供給が遮断（電断）され、その後再度電力の供給が再開された場合、遊技状態移行制御手段１７０が実行する遊技状態に係る制御及び有利期間制御手段２００Ａが実行する有利期間に係る制御について、電断前の状態から再開されるように構成されている。このため、スロットマシン１においては、指示機能制御手段２００Ｂが実行する指示機能に係る制御についても、電断が発生しその後電力の供給が再開された場合に、電断前の状態が維持されるように構成されている。
【００２６】
投入受付手段１０５は、メダルの投入を受け付ける投入受付期間内において、規定投入数（３枚）に相当するメダルが投入されたことに基づいて、スタートレバーＳＬに対する遊技開始操作を有効化する処理を行う。具体的には、メダル投入口ＭＩ（図１参照）にメダルが投入されると、メダル投入スイッチ２１０が作動することに伴って、投入受付手段１０５が、規定投入数を限度として、投入されたメダルを投入状態に設定する。また、投入受付手段１０５は、メダルがクレジットされた状態でシングルベットボタンＢＴ又はマックスベットボタンＭＢが押下されるベット操作が実行されると、ベットスイッチ２２０が作動することに伴って、規定投入数を限度として、クレジットされたメダルを投入状態に設定する。
【００２７】
なお、本実施形態のスロットマシン１では、規定投入数に相当するメダルの投入に基づいて有効化されたスタートレバーＳＬの最初の押下操作が、遊技者による遊技の開始操作として受け付けられ、第１リールＲ１〜第３リールＲ３の回転を開始させる契機となっているとともに、後述する内部抽選手段１２０が内部抽選を実行する契機となっている。
【００２８】
乱数生成手段１１０は、抽選用の乱数を発生させる手段である。なお、本実施形態において、「乱数」には、数学的な意味でランダムに発生する値のみならず、発生自体は規則的であっても、取得タイミング等が不規則であるために実質的に乱数として機能し得る値も含まれる。
【００２９】
内部抽選手段１２０は、遊技者がスタートレバーＳＬに対して開始操作を実行し、スタートスイッチ２３０が開始操作を検出することで出力されるスタート信号に基づいて、役の当否を決定する内部抽選を行う手段であって、抽選テーブル選択処理、乱数判定処理、ボーナス当選判定処理、抽選フラグ設定処理等を行う。
【００３０】
抽選テーブル選択処理では、記憶手段１９０の内部抽選テーブル記憶手段１９２に格納されており、それぞれ抽選の対象となる当選エリア（当選態様）が設定されている複数の内部抽選テーブルのうち、いずれの内部抽選テーブルを用いて内部抽選を行うかを現在の遊技状態に基づき選択する。各内部抽選テーブルでは、複数の乱数（例えば、０〜６５５３５の６５５３６個の乱数）のそれぞれに対して、リプレイ、小役及びボーナスなどの各種の役が対応付けられている。
【００３１】
なお、以下の記載において、ボーナスとは、入賞することで役物又は役物連続作動装置を作動させる役を意味し、ボーナスが作動とは、ボーナスが入賞し役物又は役物連続作動装置を作動することを意味し、ボーナス状態とは、役物又は役物連続作動装置が作動した状態を意味する。
【００３２】
乱数判定処理では、スタートスイッチ２３０から出力されるスタート信号に基づいて、遊技ごとに乱数生成手段１１０が生成する乱数（抽選用乱数）を取得し、取得した乱数を抽選テーブル選択処理で選択した内部抽選テーブルと比較して、比較結果に基づき役に当選したか否かを判定する。
【００３３】
ボーナス当選判定処理では、ボーナスを含む当選エリアが乱数判定処理において当否を決定される対象となったか否かを判定する処理を実行する。ボーナス当選判定処理の詳細については、後述する。
【００３４】
抽選フラグ設定処理では、乱数判定処理の結果に基づいて、当選したと判定された役に対応する抽選フラグを非成立状態（第１のフラグ状態、ＯＦＦ状態）から成立状態（第２のフラグ状態、ＯＮ状態）に設定する。本実施形態のスロットマシン１では、２種類以上の役が重複して当選した場合には、重複して当選した２種類以上の役のそれぞれに対応する抽選フラグが成立状態に設定される。なお、本実施形態のスロットマシン１では、入賞するまで次回以降の遊技に成立状態を持ち越し可能な抽選フラグ（持越可能フラグ）と、入賞の如何に関わらず次回以降の遊技に成立状態を持ち越さずに非成立状態にリセットされる抽選フラグ（持越不可フラグ）が用意されている。また、抽選フラグの設定情報は、記憶手段１９０の抽選フラグ記憶手段１９３に格納される。
【００３５】
リール制御手段１３０は、遊技者がスタートレバーＳＬへ開始操作を実行することにより作動するスタートスイッチ２３０からスタート信号が出力されたことに基づいて、第１リールＲ１〜第３リールＲ３の回転駆動を開始し第１リールＲ１〜第３リールＲ３の回転態様を制御するリール回転制御を実行する。また、リール制御手段１３０は、第１リールＲ１〜第３リールＲ３の回転状態が、所定速度（例えば、約８０ｒｐｍ）で定常回転する回転状態となった場合に、各リールに対応するストップボタンＢ１〜ストップボタンＢ３が押下操作されることでストップスイッチ２４０によって検出される停止操作を有効化する制御を実行する。そして、リール制御手段１３０は、停止操作を検出したストップスイッチ２４０からリール停止信号が出力された場合に、停止操作を検出したストップスイッチ２４０に対応する第１リールＲ１〜第３リールＲ３の各リールを停止させる制御（リール停止制御）を行う。
【００３６】
なお、以下の記載において、リール制御手段１３０によって第１リールＲ１〜第３リールＲ３の回転が開始され、遊技者が有効なストップボタンＢ１〜ストップボタンＢ３をそれぞれ押下操作することについて、最初の押下操作を第１停止操作、２番目の押下操作を第２停止操作、３番目の押下操作を第３停止操作とも記載する。
【００３７】
本実施形態のスロットマシン１では、第１リールＲ１〜第３リールＲ３について、ストップボタンＢ１〜ストップボタンＢ３が押下された時点（ストップスイッチ２４０が停止操作を検出した時点）から所定の期間としての１９０ｍｓが経過するまでに、押下されたストップボタンに対応する回転中のリールを停止するようになっている。ここで、ストップボタンの押下時点から１９０ｍｓ以内に回転中のリールを停止させる場合、回転している各リールの停止位置は、各リールの直径及び回転速度より、ストップボタンの押下時点からリールが停止するまでに最大で４コマ分回転可能に構成されており、第１リールＲ１〜第３リールＲ３について、ストップボタンの押下時点で有効ラインＬ１上に表示されているコマから４コマ回転するまでの計５コマが、有効ラインＬ１上に図柄を引き込み可能な範囲（引き込み範囲）となっている。
【００３８】
リール制御手段１３０は、リール停止制御の実行時において、抽選フラグが成立状態に設定された役を可能な限り入賞させることができるように回転中のリールを停止させる引き込み処理と、抽選フラグが非成立状態に設定された役を入賞させることができないように回転中のリールを停止させる蹴飛ばし処理と、を含むロジック演算により予め設定された優先順位に基づき回転中のリールの停止位置を求めるロジック演算処理と、記憶手段１９０の停止制御テーブル記憶手段１９４に記憶されている停止制御テーブルを参照して回転中のリールの停止位置を決定するテーブル参照処理と、を行い、回転中のリールを停止させ有効ラインＬ１上に図柄を表示（以下、リール停止制御によって回転中のリールを停止させて有効ラインＬ１上に図柄を表示することを「停止表示」とも記載）している。
【００３９】
なお、本実施形態のスロットマシン１において、内部抽選で複数種類の小役が当選した場合における停止位置の候補の優先度の求め方は、有効ラインＬ１上に表示可能な図柄組合せの数に応じて優先度を求める方法（個数優先制御）と、小役に予め定められている配当に基づくメダルの払出数に応じて優先度を求める方法（枚数優先制御）とが存在する。ただし、枚数優先制御を実行する場合に、配当が同一の小役が重複して当選した場合には、それぞれの小役を入賞させることができる停止位置の候補の優先度がそれぞれ同一のものとして扱われる。
【００４０】
入賞判定手段１４０は、第１リールＲ１〜第３リールＲ３の停止態様に基づいて、役が入賞したか否かを判定する入賞判定処理を行う。具体的には、記憶手段１９０の入賞判定テーブル記憶手段１９５に記憶されている入賞判定テーブルを参照しながら、第１リールＲ１〜第３リールＲ３のすべてが停止した時点で有効ラインＬ１上に表示されている図柄組合せが、予め定められた役の入賞の形態であるか否かを判定する。そして、各リールが停止した状態における有効ラインＬ１上に表示された図柄組合せによって、ボーナス、リプレイ、小役の入賞の有無を判定（以下、「入賞判定」と記載）できるように入賞判定テーブルが用意されている。なお、以下の記載において、役の入賞形態を示す図柄組合せを「入賞図柄組合せ」とも記載する。
【００４１】
本実施形態のスロットマシン１では、入賞判定処理における入賞判定手段１４０の判定結果に基づいて各処理が実行される。入賞役の判定結果に基づき実行される各処理としては、例えば、小役が入賞した場合には払出制御手段１５０にメダルを払い出させる枚数を決定する処理が行われ、リプレイが入賞した場合にはリプレイ処理手段１６０に次回の遊技においてメダルを消費せずに実行させる処理を行わせ、ボーナス等の遊技状態を移行させる契機となる役が入賞した場合には遊技状態移行制御手段１７０に遊技状態を移行させる処理が行われる。
【００４２】
払出制御手段１５０は、遊技結果に応じたメダルの払い出しに関する払出処理を行う。具体的には、小役が入賞した場合に、役ごとに予め定められている配当に基づいて遊技におけるメダルの払出数を決定し、決定された払出数に相当するメダルを、払出装置としてのホッパーユニット３２０に払い出させる制御を行う。
【００４３】
ホッパーユニット３２０は、払出制御手段１５０によって指示された払出数のメダルを払い出す動作を行う。ホッパーユニット３２０には、メダルを１枚払い出すごとに作動する払出メダル検出スイッチ３２５が備えられている。払出制御手段１５０は、払出メダル検出スイッチ３２５からの入力信号に基づいて、ホッパーユニット３２０から実際に払い出されたメダルの数を管理することができるように構成されている。なお、メダルのクレジットが許可されている場合には、ホッパーユニット３２０によって実際にメダルの払い出しを行う代わりに、記憶手段１９０のクレジット記憶領域（図示省略）に記憶されているクレジット数（クレジットされたメダルの数）に対して払出数を加算するクレジット加算処理を行って仮想的にメダルを払い出す処理を行う。
【００４４】
リプレイ処理手段１６０は、入賞判定手段１４０により有効ラインＬ１上に後述する複数種類のリプレイ役のうちいずれかのリプレイの入賞を示す図柄組合せが停止表示されたと判定され、リプレイが入賞した場合に、次回の遊技に関してメダルの投入を要さずに遊技を実行可能にする準備状態に設定するリプレイ処理（再遊技処理）を行う。すなわち、本実施形態のスロットマシン１では、リプレイが入賞した場合、規定投入数分のメダルを遊技者の手持ちのメダル（クレジットメダルを含む）を使わずに自動的に投入する自動投入処理が行われ、前回の遊技と同じ有効ラインＬ１を設定した状態で、次回のスタートレバーＳＬに対する開始操作を待機する。
【００４５】
遊技状態移行制御手段１７０は、複数の遊技状態の間で遊技状態を移行させる処理と、ボーナスの作動及び終了に係る処理と、を行う。ここで、各遊技状態の移行条件は、１つの条件が定められていてもよいし、複数の条件が定められていてもよい。複数の条件が定められている場合には、複数の予め定められた条件のうちいずれか１つの条件が成立したこと、あるいは複数の予め定められた条件のすべてが成立したことに基づいて、遊技状態を別の遊技状態へ移行させることができる。
【００４６】
演出制御手段１８０は、演出データ記憶手段１９６に記憶されている演出データに基づいて、例えば、音響装置３４０を用いて行う音響演出等、遊技に関する演出に係る制御を行う。具体的には、メダルの投入、シングルベットボタンＢＴ、マックスベットボタンＭＢ、スタートレバーＳＬ、ストップボタンＢ１〜ストップボタンＢ３に対する操作等への遊技者によるスロットマシン１の各構成の操作時や、遊技状態の変動等の遊技イベントの発生時に、ランプ及びＬＥＤの点灯あるいは点滅、音響装置３４０からの音の出力、スタートスイッチ２３０からスタート信号が出力された状態で第１リールＲ１〜第３リールＲ３の回転開始を遅延させる第１リールＲ１〜第３リールＲ３を用いた演出等を実行することにより、遊技を盛り上げる演出や、遊技を補助するための演出の実行制御を行う。
【００４７】
また、演出制御手段１８０は、各演出状態に基づく演出を演出装置３００を構成する各構成に実行させる。なお、本実施形態において、演出制御手段１８０は、乱数を用いる抽選処理ごとに、乱数生成手段１１０の乱数格納領域から乱数を取得し、演出抽選テーブル記憶手段１９７に記憶されている複数の演出抽選テーブルのうち、各抽選処理に必要な演出抽選テーブルを用いて各抽選処理を実行する。
【００４８】
有利期間制御手段２００Ａは、特定役の入賞を補助する入賞補助制御を実行可能な遊技が実行される期間である有利期間（有利区間）と、入賞補助制御が実行されない遊技が実行される期間である非有利期間（非有利区間、通常区間）と、の間での移行に係る制御を、有利期間制御データ記憶手段１９８に記憶されているデータを用いて実行する。有利期間制御データ記憶手段１９８には、非有利期間において有利期間を開始するか否かを決定する有利期間移行抽選で用いられる有利期間移行抽選テーブルや、有利期間制御手段２００Ａが有利期間内において実行する所定の制御処理でＯＮ状態又はＯＦＦ状態にセットする各種フラグ、カウンタが格納されている。
【００４９】
有利期間制御手段２００Ａは、有利期間を終了する条件が成立した際に、有利期間を終了し次ゲームから非有利期間を開始するとともに、有利期間内において設定した各種フラグ、数値等を初期化する処理である終了処理を実行する。また、有利期間制御手段２００Ａは、有利期間を開始し、かつ入賞補助制御が実行されることで、メダルの獲得期待値が１以上となる場合に有利期間報知部５００Ａを点灯させる。このため、有利期間制御手段２００Ａは、有利期間を開始している場合であっても、後述する指示機能制御手段２００Ｂによって入賞補助制御が実行されない指示機能状態である場合には、有利期間報知部５００Ａを消灯可能に構成されている。
【００５０】
非有利期間は、内部抽選手段１２０による内部抽選の結果に基づく指示機能制御手段２００Ｂによる指示機能に係る制御が実行されない期間であり、有利期間は、内部抽選手段１２０による内部抽選の結果に基づく指示機能制御手段２００Ｂによる指示機能に係る制御が実行可能な期間である。
【００５１】
有利期間制御手段２００Ａは、有利期間を開始した遊技から１回の遊技が実行されるごとに、１ゲームに相当する値である値「１」を有利期間ゲーム数カウンタに加算し、有利期間ゲーム数カウンタに記憶される値（記憶値）を累積的にインクリメント更新するゲーム数更新処理を実行する。また、有利期間制御手段２００Ａは、有利期間を開始した遊技からメダルの払出数をメダルの投入数で減算した値（差枚数）を有利期間差枚数カウンタに累積的に記録する差枚数更新処理を実行する。
【００５２】
ここで、有利期間ゲーム数カウンタは、有利期間制御データ記憶手段１９８に含まれるカウンタであり、有利期間制御手段２００Ａによって更新される値（遊技回数）を記憶するカウンタである。また、有利期間差枚数カウンタは、有利期間制御データ記憶手段１９８に含まれるカウンタであり、有利期間制御手段２００Ａによって更新される値として、メダルが投入された場合に投入数に対応する値を減算し、メダルが払い出された場合に払出数に対応する値を加算することで差枚数を記憶するカウンタである。
【００５３】
本実施形態の有利期間制御手段２００Ａは、有利期間に制御している場合、遊技状態である場合にも、１回の遊技が実行されるごとに１ゲームに相当する値である値「１」ずつ有利期間ゲーム数カウンタの記憶値に累積的に加算（更新）するゲーム数更新処理と、メダルの差枚数に相当する値を有利期間差枚数カウンタの記憶値に累積的に更新する差枚数更新処理と、を実行する。
【００５４】
ここで、有利期間制御手段２００Ａは、有利期間差枚数カウンタの記憶値を更新する差枚数更新処理において、当該遊技におけるメダルの払出数が規定投入数未満であることで有利期間差枚数カウンタの記憶値を減算した際に、有利期間差枚数カウンタの記憶値が値「０」未満となる場合、有利期間差枚数カウンタの記憶値を値「０」にセットする。これにより、有利期間制御手段２００Ａは、有利期間差枚数カウンタの記憶値が最下点となる際の値について、値「０」に固定することができるため、有利期間差枚数カウンタの記憶値を用いた制御処理において、最下点における具体的な数値に応じて判定の閾値となる値を変動させる必要がなくなり、有利期間差枚数カウンタの記憶値を用いた制御処理の負荷を軽減させることができる。
【００５５】
有利期間制御手段２００Ａは、１５００ゲームの遊技が実行された場合、つまり有利期間ゲーム数カウンタの記憶値が値「１５００」になった場合又は有利期間において最もメダルを消費した時点から２４００枚のメダルを遊技者が獲得した場合、つまり有利期間差枚数カウンタの記憶値が最も低い値（最下点）であった時点から値「２４００」になった場合に、有利期間を終了させる条件として特定終了条件が成立したと判定し、有利期間を終了させて次ゲームから非有利期間を開始する終了処理を実行する。
【００５６】
有利期間制御手段２００Ａは、終了処理において、有利期間においてＯＮ状態にセットした各フラグや有利期間において設定した値等の有利期間における各種制御処理で用いた情報をすべて初期化する。なお、有利期間制御手段２００Ａは、特定終了条件以外の予め設定されている条件（通常終了条件）が成立した場合にも有利期間を終了可能であり、通常終了条件が成立した場合にも終了処理を実行する。
【００５７】
指示機能制御手段２００Ｂは、有利期間制御手段２００Ａによって有利期間が開始されている場合に、特定役の入賞を補助する指示機能の作動に係る処理（入賞補助制御）と、入賞補助制御を実行可能な状態であるアシストタイム状態（以下、アシストタイムを「ＡＴ」とも記載）を含む複数の指示機能状態の間での指示機能状態の移行に係る処理と、等の指示機能に係る制御（アシストタイム制御）を行う。本実施形態のスロットマシン１では、指示機能制御手段２００Ｂによるアシストタイム制御において用いるプログラムデータやデータテーブル、カウンタ、ＯＮ状態又はＯＦＦ状態にセットする各種フラグについて、記憶手段１９０の指示機能制御データ記憶手段１９９に記憶されている。
【００５８】
本実施形態において、指示機能制御手段２００Ｂは、指示機能状態が入賞補助制御を実行可能な状態である場合に、指示機能作動処理として、内部抽選手段１２０に当選した当選エリアに応じてそれぞれ異なる当選コマンドを作成させ、作成させた当選コマンドを主制御表示装置５００に送信させることで、内部抽選で当選した当選エリアがいずれの当選エリアであるかを報知し、遊技者にストップボタンＢ１〜ストップボタンＢ３の操作方法を指示する機能（指示機能）である報知表示が主制御表示装置５００に実行される制御である入賞補助制御を実行可能となるように構成されている。入賞補助制御が実行されストップボタンＢ１〜ストップボタンＢ３の操作態様が報知されるＡＴ状態における遊技が、本実施形態における報知遊技を構成する。
【００５９】
２．本実施形態における遊技機が備える構成
次に、図３〜図８を参照して、本実施形態におけるスロットマシン１が備える各構成の詳細について説明する。
【００６０】
＜内部抽選の対象となる当選エリア＞
図３は、本実施形態のスロットマシン１における内部抽選手段１２０が、乱数判定処理を実行する際における各当選エリアの当否を決定する順序を設定した順序設定テーブルと、各当選エリアに含まれる当選役と、を示す図である。図３に示すように、順序設定テーブルにおいては、各当選エリアに当選番号が対応付けられている。内部抽選手段１２０は、乱数判定処理において、当選番号２４番に対応付けられた当選エリアから当選番号０番に対応付けられた不当選に向かう順番で、各当選エリアの当否を決定していく。
【００６１】
本実施形態のスロットマシン１では、内部抽選で当選した場合に入賞可能な小役（以下、「入賞役」と記載）として、ベルＡ、ベルＢ、１枚役Ａ〜１枚役Ｆ及びレア役が用意されており、複数種類の入賞役が重複して当選する小役の当選エリア（当選態様）として、当選エリア「打順ベル１」〜「打順ベル１２」と、当選エリア「全１枚役」と、当選エリア「全小役」と、が設定されている。ここで、「打順」とは、ストップボタンＢ１〜ストップボタンＢ３に対して押下操作を実行する順番を意味する。また、以下の記載において、ストップボタンＢ１〜ストップボタンＢ３が押下操作されるタイミングを「押下タイミング」とも記載する。
【００６２】
当選番号１番が設定された当選エリア「全１枚役」は、１枚役Ａ〜１枚役Ｆ及びレア役に当選し、ストップボタンＢ１〜ストップボタンＢ３の打順及び押下タイミングによらず１枚役Ａ〜１枚役Ｆのいずれかが入賞する。当選番号２番が設定された当選エリア「全小役」は、ベルＡ、ベルＢ、１枚役Ａ〜１枚役Ｆ及びレア役に当選し、ストップボタンＢ１〜ストップボタンＢ３の打順及び押下タイミングによらずベルＡが入賞する。
【００６３】
当選番号３番〜当選番号８番が設定された当選エリア「打順ベル１」〜当選エリア「打順ベル６」は、ベルＡと、１枚役Ａ〜１枚役Ｆのうち１つと、に重複当選する当選エリアであり、それぞれ重複当選する入賞役が異なる構成となっている。当選エリア「打順ベル１」〜当選エリア「打順ベル６」には、それぞれベルＡを入賞可能にする打順（正解打順）が設定されている。当選エリア「打順ベル１」〜当選エリア「打順ベル６」の当選時において、スロットマシン１では、正解打順でストップボタンＢ１〜ストップボタンＢ３が押下操作された場合に、ベルＡが入賞し、正解打順とは異なる打順（不正解打順）でストップボタンＢ１〜ストップボタンＢ３が押下操作され、かつ押下タイミングが当選している１枚役Ａ〜１枚役Ｆのいずれかを入賞可能なタイミングである場合に、当選している１枚役Ａ〜１枚役Ｆのいずれかが入賞し、不正解打順でかつ押下タイミングが当選している１枚役Ａ〜１枚役Ｆのいずれかを入賞できないタイミングである場合に、いずれの役も入賞しない取りこぼし（非入賞）となる。
【００６４】
当選番号９番〜当選番号１４番が設定された当選エリア「打順ベル７」〜当選エリア「打順ベル１２」は、ベルＢと、１枚役Ａ〜１枚役Ｆのうち１つと、に重複当選する当選エリアであり、それぞれ重複当選する入賞役が異なる構成となっている。当選エリア「打順ベル７」〜当選エリア「打順ベル１２」には、それぞれベルＢを入賞可能にする打順（正解打順）が設定されている。当選エリア「打順ベル７」〜当選エリア「打順ベル１２」の当選時において、スロットマシン１では、正解打順でストップボタンＢ１〜ストップボタンＢ３が押下操作された場合に、ベルＢが入賞し、正解打順とは異なる打順（不正解打順）でストップボタンＢ１〜ストップボタンＢ３が押下操作され、かつ押下タイミング当選している１枚役Ａ〜１枚役Ｆのいずれかを入賞可能なタイミングである場合に、当選している１枚役Ａ〜１枚役Ｆのいずれかが入賞し、不正解打順でかつ押下タイミングが当選している１枚役Ａ〜１枚役Ｆのいずれかを入賞できないタイミングである場合に、いずれの役も入賞しない取りこぼし（非入賞）となる。
【００６５】
当選番号１５番が設定された当選エリア「レア役」は、レア役に当選し、ストップボタンＢ３の押下タイミングが適切な場合にレア役を入賞可能に構成されており、ストップボタンＢ３の押下タイミングがレア役を入賞させることができないタイミングであった場合には、いずれの役も入賞しない取りこぼし（非入賞）となる。なお、本実施形態の内部抽選手段１２０は、小役を含む各当選態様の当選確率について、当選エリア「レア役」に当選する確率が、他の小役を含む当選態様のいずれかに当選する確率よりも低い確率となる、いわゆるレア役として構成されている。
【００６６】
次に、リプレイを含む当選エリアについて説明する。本実施形態のスロットマシン１では、リプレイのみを含む当選エリアとして、当選エリア「通常リプレイ」と、当選エリア「打順リプレイ１」〜当選エリア「打順リプレイ３」と、が設定されている。
【００６７】
当選番号１６番が設定された当選エリア「通常リプレイ」は、リプレイＡに当選し、打順及び押下タイミングによらずリプレイＡを入賞可能に構成されている。当選番号１７番〜当選番号１９番が設定された当選エリア「打順リプレイ１」〜当選エリア「打順リプレイ３」は、リプレイＡと、リプレイＢ〜リプレイＤのいずれかと、に重複して当選するエリアである。
【００６８】
当選エリア「打順リプレイ１」〜当選エリア「打順リプレイ３」には、それぞれリプレイＢ〜リプレイＤを入賞可能にする打順（特定リプレイ打順）が設定されている。当選エリア「打順リプレイ１」〜当選エリア「打順リプレイ３」の当選時において、スロットマシン１では、特定リプレイ打順でストップボタンＢ１〜ストップボタンＢ３が押下操作された場合に、リプレイＢ〜リプレイＤが入賞し、特定リプレイ打順とは異なる打順でストップボタンＢ１〜ストップボタンＢ３が押下操作された場合に、リプレイＡが入賞する。
【００６９】
次に、ボーナスを含む当選エリアについて説明する。本実施形態のスロットマシン１では、ボーナスを含む当選エリアとして、ボーナスと小役を含む当選エリア「ＲＢＢ＆１枚役１」〜当選エリア「ＲＢＢ＆１枚役４」と、が設定され、ボーナスのみを含む当選エリアとして、当選エリア「ＲＢＢ」が設定されている。
【００７０】
当選番号２０番〜当選番号２３番が設定された当選エリア「ＲＢＢ＆１枚役１」〜当選エリア「ＲＢＢ＆１枚役４」は、それぞれＲＢＢと、１枚役Ａ〜１枚役Ｄのいずれかと、に重複して当選する当選エリアである。当選エリア「ＲＢＢ＆１枚役１」〜当選エリア「ＲＢＢ＆１枚役４」の当選時において、スロットマシン１では、当選している１枚役Ａ〜１枚役Ｄのいずれかが１／４の確率で入賞し、３／４の確率でいずれの役も入賞しない取りこぼし（非入賞）となる。
【００７１】
当選番号２４番が設定された当選エリア「ＲＢＢ」は、ＲＢＢに当選し、ストップボタンＢ１〜ストップボタンＢ３の押下タイミングが適切な場合にＲＢＢを入賞可能に構成されており、ストップボタンＢ１〜ストップボタンＢ３の押下タイミングがＲＢＢを入賞させることができないタイミングであった場合には、いずれの役も入賞しない取りこぼし（非入賞）となる。
【００７２】
ここで、本実施形態のスロットマシン１では、持越可能フラグが対応付けられる役としては、ＲＢＢがあり、小役及びリプレイは、持越不可フラグに対応付けられている。すなわち、抽選フラグ設定処理では、内部抽選でＲＢＢを含む当選エリアに当選すると、当選したＲＢＢの抽選フラグの成立状態を、ＲＢＢが入賞するまで持ち越す処理を行う。このとき、内部抽選手段１２０は、ＲＢＢの抽選フラグの成立状態が持ち越されている遊技でも、小役及びリプレイについての当否を決定する内部抽選を行っている。すなわち、抽選フラグ設定処理では、ＲＢＢの抽選フラグの成立状態が持ち越されている遊技において、小役やリプレイが当選した場合には、既に当選しているＲＢＢの抽選フラグと内部抽選で当選した小役やリプレイの抽選フラグとからなる２種類以上の役に対応する抽選フラグを成立状態に設定する。
【００７３】
＜内部抽選テーブル＞
本実施形態のスロットマシン１は、通常遊技状態としての非リプレイタイム（以下、リプレイタイムを「ＲＴ」とも記載）状態と、ボーナス成立状態と、のボーナスが作動していない非ボーナス状態における内部抽選で内部抽選手段１２０に参照される内部抽選テーブルＡと、ＲＢＢ作動状態、つまりボーナスが作動しているボーナス状態における内部抽選で内部抽選手段１２０に参照される内部抽選テーブルＢと、を内部抽選テーブル記憶手段１９２に記憶させている。
【００７４】
内部抽選テーブルＡでは、順序設定テーブルに記憶されている当選エリアのうち、当選番号３番〜当選番号２４番の当選エリアのそれぞれに乱数が対応付けられている。内部抽選テーブルＢでは、順序設定テーブルに記憶されている当選エリアのうち、当選番号１番、当選番号２番の当選エリアのそれぞれに乱数が対応付けられている。
【００７５】
＜乱数判定処理＞
本実施形態の内部抽選手段１２０は、乱数判定処理において、乱数生成手段１１０から取得した乱数を、内部抽選テーブル記憶手段１９２から取得した内部抽選テーブルにおいて、各当選エリアに対応させて記憶されている値数で順次減算していき、減算した結果が負の値となった場合に、当該減算した値数に対応する当選エリアに当選したと判定する。また、内部抽選手段１２０は、内部抽選テーブルに記憶されているすべての値数で減算し終えた時点で減算した結果が正の値である場合、いずれの役にも当選しなかった不当選であると判定する。
【００７６】
＜ボーナス当選判定処理＞
上述した通り、本実施形態の内部抽選手段１２０は、非ＲＴ状態及びボーナス成立状態において、共通の内部抽選テーブルＡを用いて乱数判定処理を実行する。このため、内部抽選手段１２０は、遊技状態がボーナス成立状態であり、かつ当選番号２４番の当選エリア「ＲＢＢ」〜当選番号２０番の当選エリア「ＲＢＢ〜１枚役１」が乱数判定処理において当否を決定する対象となる場合に、既にＲＢＢが成立状態に設定されている状態で再度ＲＢＢが当選してしまう可能性があることから、新たに当選したＲＢＢを成立状態に設定しないために、乱数判定処理で当否を決定される当選エリアがボーナスを含む当選エリアであるか否かを判定するボーナス当選判定処理を実行する。
【００７７】
内部抽選手段１２０は、ボーナス当選判定処理において、乱数判定処理でボーナスを含む当選エリアが当否を決定される対象となると判定した場合、ボーナスを含む当選エリアが当選し、かつ遊技状態がボーナス成立状態である場合に、ボーナスを成立状態に設定する処理をスキップする処理を実行する。
【００７８】
ボーナス当選判定処理を実行し既に成立状態に設定されているＲＢＢを新たに成立状態に設定する処理が実行されない構成であることで、内部抽選手段１２０は、非ＲＴ状態及びボーナス成立状態で共通の内部抽選テーブルを用いた乱数判定処理を実行することができる。
【００７９】
＜リール制御手段＞
本実施形態のスロットマシン１では、いずれの遊技状態である場合にも、リール停止制御において有効ラインＬ１上に停止させる役の優先順序が「リプレイ＞小役＞ボーナス」の順序で優先順位が定められている。
【００８０】
＜小役の配当＞
本実施形態において、ベルＡ、ベルＢの配当は、規定投入数（３枚）よりも多い枚数の払出数（例えば９枚）に設定されている。また、１枚役Ａ〜１枚役Ｆ及びレア役の配当は、規定投入数よりも少ない枚数の払出数（例えば１枚）に設定されている。
【００８１】
＜遊技状態移行制御手段＞
図４（Ａ）は、本実施形態の遊技状態移行制御手段１７０が実行する遊技状態の移行に係る制御において、各遊技状態から移行可能な遊技状態を示す状態遷移図である。
【００８２】
図４（Ａ）に示すように、非ＲＴ状態は、複数種類の遊技状態の中で初期状態に相当する遊技状態（初期遊技状態、通常遊技状態）であり、ボーナスが作動及び成立していない非ボーナス状態となっている。非ＲＴ状態において、遊技状態移行制御手段１７０は、内部抽選手段１２０に内部抽選テーブルＡを用いた内部抽選を実行させる。
【００８３】
ボーナス成立状態は、非ＲＴ状態における内部抽選で当選エリア「ＲＢＢ」、当選エリア「ＲＢＢ＆１枚役１」〜当選エリア「ＲＢＢ＆１枚役４」のいずれかに当選し、ＲＢＢが成立状態に設定された場合に移行する遊技状態である。ボーナス成立状態において、遊技状態移行制御手段１７０は、内部抽選手段１２０に内部抽選テーブルＡを用いた内部抽選を実行させる。
【００８４】
ＲＢＢ作動状態は、ＲＢＢが入賞することで移行される遊技状態（ボーナス状態）である。ＲＢＢ作動状態において、遊技状態移行制御手段１７０は、払い出されたメダルの合計数によって作動しているＲＢＢの終了条件が成立したかを判定し、予め定められた所定の払出数（例えば、２００枚）を超えるメダルが払い出された場合に、ＲＢＢの作動を終了させることでボーナス状態を終了させて、遊技状態を非ボーナス状態へ移行させる。ＲＢＢ作動状態において、遊技状態移行制御手段１７０は、内部抽選手段１２０に内部抽選テーブルＢを用いた内部抽選を実行させる。
【００８５】
ＲＢＢ作動状態について詳細に説明する。本実施形態のスロットマシン１において、内部抽選テーブルＢが選択されるＲＢＢ作動状態において当選エリア「全小役」又は当選エリア「全１枚役」に当選する確率は、内部抽選テーブルＡにおいて小役を含む当選エリアのいずれかに当選する確率よりも高い、つまりＲＢＢ作動状態において小役に当選する確率がＲＢＢ作動状態以外のＲＢＢ非作動時の遊技状態においていずれかの小役に当選する確率よりも高い確率に設定されている。また、内部抽選テーブルＢにおいて、当選エリア「全小役」に当選する確率は、内部抽選テーブルＡにおいて当選エリア「打順ベル１」〜当選エリア「打順ベル１２」のそれぞれに当選する確率よりも高い確率に設定されている。
【００８６】
このような構成であることから、本実施形態のスロットマシン１は、ＲＢＢ作動状態において、ボーナスの非作動時である非ＲＴ状態及びボーナス成立状態である場合よりもすべての小役の当選確率が上昇するとともに、いずれかの小役に当選する確率も上昇するように構成されている。
【００８７】
また、スロットマシン１は、ＲＢＢ作動状態において、当選エリア「全小役」に当選する確率が、当選エリア「打順ベル１」〜当選エリア「打順ベル６」のいずれかに当選する確率（当選エリア「打順ベル１」〜当選エリア「打順ベル６」の各当選確率を合算した当選確率）及び当選エリア「打順ベル７」〜当選エリア「打順ベル１２」のいずれかに当選する確率（当選エリア「打順ベル７」〜当選エリア「打順ベル１２」の各当選確率を合算した当選確率）よりも高く、かつ、当選エリア「打順ベル１」〜当選エリア「打順ベル１２」のいずれかに当選する確率（当選エリア「打順ベル１」〜当選エリア「打順ベル１２」の各当選確率を合算した当選確率）よりも低くなるように構成されている。
【００８８】
このため、本実施形態のスロットマシン１は、ＲＢＢ作動状態について、メダルの獲得率の期待値が１００％未満となっている。
【００８９】
ここで、ＲＢＢ作動状態以外の遊技状態においては、当選エリア「打順ベル１」〜当選エリア「打順ベル１２」の当選時に、正解打順でストップボタンＢ１〜ストップボタンＢ３を押下操作しないとベルＡ、ベルＢを入賞させることができない構成であることから、ベルＡ、ベルＢのいずれかが入賞する確率は、６種類の打順から正解打順でストップボタンＢ１〜ストップボタンＢ３を押下操作できた場合に限定される。一方、後述する指示機能制御手段２００Ｂによって入賞補助制御が実行されるＡＴ遊技が実行された場合には、当選エリア「打順ベル１」〜当選エリア「打順ベル１２」の当選時に、正解打順が報知されるため、ベルＡ、ベルＢのいずれかが入賞する確率について、入賞補助制御が実行されない場合に対して最大で６倍まで高めることができる。
【００９０】
このように、本実施形態においては、正解打順で停止操作した場合に入賞する規定投入枚数よりも多くのメダルを払い出す入賞役（特定役）として、ベルＡ、ベルＢの２種類を設定している。そして、ＲＢＢ作動状態において特定役を含む当選態様が得られる確率を、ＲＢＢ作動状態以外の遊技状態において特定役を含む当選態様が得られる確率の約１／２に圧縮している。このように構成することで、ＲＢＢ作動状態以外の遊技状態においてＮ種類の特定役を互いに重複せずに当選させる態様を設けて内部抽選を行い、ＲＢＢ作動状態においてＮ種類の特定役を重複して当選させる態様を設けて内部抽選を行うことによって、ＲＢＢ作動状態において特定役を含む当選態様が得られる確率を、ＲＢＢ作動状態以外の遊技状態において特定役を含む当選態様が得られる確率の約１／Ｎに圧縮することができる。これにより、ボーナス状態でのメダルの獲得率の期待値の下限を１００％未満にまで引き下げた上でＡＴ遊技に関するメダルの獲得性能を設計することができるため、ＡＴ機能を備えたスロットマシン１の設計自由度を飛躍的に向上させることができる。
【００９１】
この、複数種類の第１小役としてのベルＡ、ベルＢが互いに重複せずに他の小役と重複当選する当選エリア「打順ベル１」〜当選エリア「打順ベル１２」が、本実施形態における複数種類の第１当選態様を構成する。また、ベルＡ、ベルＢが重複して当選する当選エリア「全小役」が、本実施形態における第２当選態様を構成する。
【００９２】
＜有利期間制御手段と指示機能制御手段＞
図４（Ｂ）は、本実施形態の有利期間制御手段２００Ａによって制御される期間と、指示機能制御手段２００Ｂによって制御される指示機能状態と、についての詳細を示す状態遷移図である。
【００９３】
図４（Ｂ）に示すように、非有利期間は、内部抽選手段１２０による内部抽選の結果に基づく指示機能制御手段２００Ｂによる指示機能に係る制御が実行されない期間である。有利期間制御手段２００Ａは、非有利期間内における遊技のうち、ボーナスが作動していない遊技において、内部抽選手段１２０による内部抽選で当選した当選エリアのうち、当選確率が１／１７５００以上に設定された当選エリアに当選した場合に、非有利期間を終了し有利期間を開始するか否かを決定する抽選である有利期間抽選を実行する。
【００９４】
有利期間抽選において、有利期間制御手段２００Ａは、まず、記憶手段１９０のうち有利期間に係るデータを記憶している有利期間制御データ記憶手段１９８から、複数の乱数のそれぞれに対して「有利期間の開始」、「ハズレ（不当選）」が対応付けられているデータテーブルである有利期間移行抽選テーブルを取得する。そして、有利期間制御手段２００Ａは、乱数生成手段１１０から乱数を取得し、取得した乱数を有利期間移行抽選テーブルと比較して、比較結果に基づき、有利期間を開始するか否かを決定する。なお、有利期間制御データ記憶手段１９８には、有利期間制御手段２００Ａが有利期間内において実行する所定の制御処理でＯＮ状態又はＯＦＦ状態にセットする各種フラグも格納されている。なお、有利期間制御手段２００Ａは、内部抽選で当選した当選エリアの当選確率と、有利期間抽選における「有利期間の開始」の当選確率と、を乗算した確率について、１／１７５００以上となるように有利期間抽選を実行する。
【００９５】
有利期間において、指示機能制御手段２００Ｂは、指示機能に係る状態（指示機能状態）として、非ＡＴ状態と、チャンスゾーン（ＣＺ）状態と、ＡＴ状態と、有している。指示機能制御手段２００Ｂは、指示機能制御データ記憶手段１９９に記憶されている各種抽選テーブルを参照し、各指示機能状態に応じた抽選に係る処理を実行する。
【００９６】
非ＡＴ状態は、有利期間制御手段２００Ａによって有利期間が開始され、かつ他の指示機能状態に移行していない場合に設定される、複数種類の指示機能状態の中で通常状態に相当する指示機能状態（通常指示機能状態）である。非ＡＴ状態において、指示機能制御手段２００Ｂは、内部抽選手段１２０による内部抽選で、当選エリア「レア役」に当選した場合に、指示機能状態をＣＺ状態に移行するか否かを決定するＣＺ抽選を実行する。ここで、指示機能制御手段２００Ｂは、内部抽選で当選した当選エリアの当選確率と、ＣＺ抽選における「ＣＺ状態への移行」の当選確率と、を乗算した確率について、１／１７５００以上となるようにＣＺ抽選を実行する。
【００９７】
また、指示機能制御手段２００Ｂは、非ＡＴ状態において、有利期間を開始してから１２００ゲームの遊技が実行された場合と、有利期間を開始してから最もメダルを消費した後に２０００枚のメダルを遊技者が獲得した場合と、に、指示機能状態を非ＡＴ状態からＣＺ状態に移行させる。
【００９８】
ＣＺ状態は、非ＡＴ状態から移行可能な指示機能状態である。ＣＺ状態において、指示機能制御手段２００Ｂは、ＣＺ状態の開始時に指示機能制御データ記憶手段１９９のＣＺ終了判定カウンタ（不図示）に所定の遊技回数に対応する値（例えば、１０ゲーム）をセットし、遊技が実行される都度、ＣＺ終了判定カウンタの記憶値を１ゲームに相当する値「１」で減算するデクリメント更新を実行する。指示機能制御手段２００Ｂは、ＣＺ状態において１０ゲームの遊技が実行されるまでの間、毎ゲームごとにＡＴ状態の実行を決定するか否かを抽選するＡＴ抽選を実行するように構成されており、当選エリア「レア役」に当選した場合にのみＣＺ抽選が実行される非ＡＴ状態よりもＡＴ状態に移行しやすい状態となっている。
【００９９】
ＣＺ状態において１０ゲームの遊技が実行されるまでにＡＴ抽選で「ＡＴ状態への移行」に当選した場合、指示機能制御手段２００Ｂは、ＣＺ状態の開始から１０ゲームの遊技が実行された後に指示機能状態をＣＺ状態からＡＴ状態に移行する。一方、ＣＺ状態において１０ゲームの遊技が実行されるまでにＡＴ抽選で「ＡＴ状態への移行」に当選しなかった場合、指示機能制御手段２００Ｂは、ＣＺ状態の開始から１０ゲームの遊技が実行された後に指示機能状態をＣＺ状態から非ＡＴ状態に移行する。なお、指示機能制御手段２００Ｂは、ＣＺ状態におけるＡＴ抽選において「ＡＴ状態への移行」に当選した遊技において、指示機能状態をＣＺ状態からＡＴ状態に移行するように構成されていてもよい。また、指示機能制御手段２００Ｂは、ＣＺ状態において、有利期間を開始してから１２１０ゲームの遊技が実行された場合と、有利期間を開始してから最もメダルを消費した後に２０１０枚のメダルを遊技者が獲得した場合と、に、指示機能状態をＣＺ状態からＡＴ状態に移行させる。
【０１００】
ＡＴ状態は、非ＡＴ状態又はＣＺ状態においてＡＴ状態への移行条件が成立することで移行する指示機能状態である。ＡＴ状態において、指示機能制御手段２００Ｂは、内部抽選手段１２０による内部抽選において、ストップボタンＢ１〜ストップボタンＢ３の打順によって入賞役が変化する当選エリアに当選したことに基づき入賞補助制御を実行可能に構成されている。ここで、入賞補助制御によって入賞する確率が上がる役（特定の役）は、当選エリア「打順ベル１」〜当選エリア「打順ベル１２」、の当選時のベルＡ、ベルＢである。
【０１０１】
指示機能制御手段２００Ｂは、ＡＴ状態を開始した場合に、ＡＴ状態において実行された遊技回数を計数するカウンタであるＡＴ状態遊技回数カウンタに、ＡＴ状態で実行可能な遊技回数に相当する初期値をセットし、１回の遊技が実行されるごとに１ゲームに相当する値「１」でＡＴ状態遊技回数カウンタの記憶値を減算するデクリメント更新を実行する。本実施形態において、指示機能制御手段２００Ｂは、遊技状態が非ＲＴ状態である状態で有利期間が開始された場合、ＡＴ状態遊技回数カウンタに初期値として値「５０」をセットする。
【０１０２】
また、本実施形態において、指示機能制御手段２００Ｂは、内部抽選手段１２０による内部抽選で当選エリア「レア役」に当選した場合に、指示機能に係る制御として、ＡＴ状態遊技回数カウンタの記憶値に抽選により決定された値を加算するか否かを決定することで、ＡＴ状態が継続する期間を加算（上乗せ）するか否かを決定する上乗せ抽選を実行する。
【０１０３】
ＡＴ状態においてＡＴ状態遊技回数カウンタの記憶値が値「０」になった場合、つまり、ＡＴ状態が終了した場合、有利期間制御手段２００Ａは、通常終了条件が成立したと判定し、有利期間を終了して非有利期間に制御するとともに、終了処理を実行する。終了処理が実行されることで、スロットマシン１では、有利期間制御データ記憶手段１９８に含まれる有利期間中に更新されたデータ（例えば有利期間ゲーム数カウンタの記憶値等）と、指示機能制御データ記憶手段１９９に含まれる有利期間中に更新されたデータ（例えば、ＡＴ状態遊技回数カウンタの記憶値等）と、が初期化される。
【０１０４】
３．内部抽選手段による制御の詳細
次に、本実施形態のスロットマシン１において、内部抽選手段１２０が実行する乱数判定処理と、ボーナス当選判定処理と、の詳細について説明する。
【０１０５】
［実施例］
図５は、本実施例の順序設定テーブルと、内部抽選テーブルＡ、内部抽選テーブルＢにおいて乱数が対応付けられている当選エリアと、について示す図である。図５に示す○がつけられた当選エリアには、各遊技状態で参照される内部抽選テーブルにおいて乱数が対応付けられており、×がつけられた当選エリアには、各遊技状態で参照される内部抽選テーブルにおいて乱数が対応付けられていない。なお、●がつけられている不当選には、乱数は対応付けられていないものの、各内部抽選テーブルを参照した乱数判定処理の結果、いずれの当選エリアにも当選しなかったと判定された場合に、不当選であると判定されることを示している。
【０１０６】
まず、遊技状態が非ＲＴ状態又はボーナス成立状態である場合について説明する。本実施例の内部抽選手段１２０は、遊技状態が非ＲＴ状態又はボーナス成立状態である場合における乱数判定処理において、当選番号２４番の当選エリア「ＲＢＢ」から順に各当選エリアの当否を決定していき、当選したと判定した時点で乱数判定処理を終了する。
【０１０７】
具体的には、まず、内部抽選手段１２０は、乱数生成手段１１０が生成した乱数を取得し、取得した乱数を記憶手段１９０に設けられた乱数格納カウンタ（不図示）に記憶させる。次に、内部抽選手段１２０は、内部抽選テーブルＡにおいて当選番号２４番の当選エリア「ＲＢＢ」に対応付けられている値数で乱数格納カウンタに記憶された値（記憶値）を減算し、減算した結果を乱数格納カウンタに記憶させる。減算した結果、つまり乱数格納カウンタの記憶値が正の値である場合、内部抽選手段１２０は、当選番号２４番の次の当選番号である当選番号２３番の当選エリア「ＲＢＢ＆１枚役４」に対応付けられている値数で、乱数格納カウンタの記憶値を減算し、減算した結果を乱数格納カウンタに記憶させる。
【０１０８】
内部抽選手段１２０は、乱数格納カウンタの記憶値が負の値になるまで、内部抽選テーブルＡに記憶されている値数で乱数格納カウンタの記憶値を順次減算及び減算した結果を乱数格納カウンタに記憶させていき、乱数格納カウンタの記憶値が負の値となった際に減算に用いた値数が対応付けられている当選エリアが当選したと判定する。具体的には、内部抽選手段１２０は、内部抽選テーブルＡにおいて当選番号１３番の当選エリア「打順ベル１１」に対応付けられている値数で乱数格納カウンタの記憶値を減算し、減算した結果が負の値になった場合に、当選エリア「打順ベル１１」が当選したと判定する。
【０１０９】
内部抽選手段１２０は、内部抽選テーブルＡを参照して乱数判定処理を実行する場合、当選番号３番の当選エリア「打順ベル１」に対応付けられた値数で乱数格納カウンタの記憶値を減算し、減算した結果が正の値である場合、当選番号２番の当選エリア「全小役」と当選番号１番の当選エリア「全１枚役」には、内部抽選テーブルＡにおいて値数が対応付けられていないことから、乱数格納カウンタの記憶値を減算することなく処理を進める。そして、内部抽選手段１２０は、当選番号２４番〜当選番号１番のすべての当選エリアの当否を判定した結果、乱数格納カウンタの記憶値が正の値でありいずれの当選エリアにも当選していないと判定したことから、不当選であると判定し、乱数判定処理を終了する。
【０１１０】
このように、本実施例の内部抽選手段１２０は、内部抽選テーブルＡを参照して乱数判定処理を実行する場合、当選番号０番の不当選と、当選番号１番〜当選番号２４番の当選エリアと、の合計２５個の要素について、当否の判定を行うように構成されている。
【０１１１】
次に、遊技状態がＲＢＢ作動状態である場合について説明する。本実施例の内部抽選手段１２０は、遊技状態がＲＢＢ作動状態である場合における乱数判定処理において、内部抽選テーブルＢで値数が対応付けられている当選エリアが当選番号２番の当選エリア「全小役」と、当選番号１番の当選エリア「全１枚役」と、２つであることから、当選番号２番の当選エリア「全小役」から順に各当選エリアの当否を決定していき、当選したと判定した時点で乱数判定処理を終了する。
【０１１２】
具体的には、まず、内部抽選手段１２０は、乱数生成手段１１０が生成した乱数を取得し、取得した乱数を乱数格納カウンタに記憶させる。次に、内部抽選手段１２０は、内部抽選テーブルＢにおいて当選番号２番の当選エリア「全小役」に対応付けられている値数で乱数格納カウンタの記憶値を減算し、減算した結果を乱数格納カウンタに記憶させる。減算した結果、乱数格納カウンタの記憶値が負の値である場合、内部抽選手段１２０は、当選エリア「全小役」が当選したと判定する。一方、減算した結果、乱数格納カウンタの記憶値が正の値である場合、内部抽選手段１２０は、当選番号２番の次の当選番号である当選番号１番の当選エリア「全１枚役」に対応付けられている値数で、乱数格納カウンタの記憶値を減算し、減算した結果を乱数格納カウンタに記憶させる。減算した結果、乱数格納カウンタの記憶値が負の値である場合、内部抽選手段１２０は、当選エリア「全１枚役」が当選したと判定する。一方、減算した結果、乱数格納カウンタの記憶値が正の値である場合、内部抽選手段１２０は、当選番号２番、当選番号１番の内部抽選テーブルＢにおいて値数が対応付けられているすべての当選エリアの当否を判定した結果、乱数格納カウンタの記憶値が正の値でありいずれの当選エリアにも当選していないと判定したことから、不当選であると判定し、乱数判定処理を終了する。
【０１１３】
このように、本実施例の内部抽選手段１２０は、内部抽選テーブルＢを参照して乱数判定処理を実行する場合、当選番号０番の不当選と、当選番号１番、当選番号２番の当選エリアと、の合計３個の要素について、当否の判定を行うように構成されている。
【０１１４】
次に、内部抽選手段１２０によるボーナス当選判定処理について説明する。本実施例の内部抽選手段１２０は、当選番号２４番の当選エリア「ＲＢＢ」〜当選番号２０番の当選エリア「ＲＢＢ＆１枚役１」が乱数判定処理において当否を決定する対象となっている場合にボーナス当選判定処理を実行するように構成されており、当選番号２４番の当選エリア「ＲＢＢ」が乱数判定処理において当否を決定する対象となった場合にボーナス当選判定処理を開始し、当選番号１９番の当選エリア「打順リプレイ３」が乱数判定処理において当否を決定する対象なった場合にボーナス当選判定処理を終了するように構成されている。
【０１１５】
このように、本実施例の順序設定テーブルでは、当選番号２４番の当選エリア「ＲＢＢ」〜当選番号２０番の当選エリア「ＲＢＢ＆１枚役１」と、乱数判定処理において内部抽選手段１２０によって参照される順序が連続した順になるように設定されている。このため、内部抽選手段１２０は、ボーナス当選判定処理を開始及び終了する回数が、１回となっている。
【０１１６】
また、本実施例の順序設定テーブルでは、乱数判定処理において最初に当否を決定される当選エリアがボーナスのみを有する当選番号２４番の当選エリア「ＲＢＢ」である。このため、内部抽選手段１２０は、乱数判定処理の開始時にボーナス当選判定処理を開始可能に構成されている。
【０１１７】
［比較例１］
図６は、比較例１の順序設定テーブルと、内部抽選テーブルＡ、内部抽選テーブルＢにおいて乱数が対応付けられている当選エリアと、について示す図である。図６に示す比較例１の順序設定テーブルは、ボーナスのみを含む当選エリア、リプレイのみを含む当選エリア、ボーナスと小役とを含む当選エリア、小役のみを含む当選エリア、不当選の順に当選番号が設定されている。
【０１１８】
ここで、一般に、遊技機においては、規定の試射試験において規定の試験装置に向けて当選した当選エリアに係る信号を出力可能に構成されている。規定の試射試験においては、当選した当選エリアに係る信号として、当選エリアに対応する数値を出力するように構成されている。
【０１１９】
また、規定の試射試験において、小役を含む当選エリアに対応する数値の一群と、リプレイを含む当選エリアに対応する数値の一群と、は、いずれも一塊にされている必要がある。このため、比較例１の順序設定テーブルは、リプレイのみを含む当選エリアを当選番号２３番〜当選番号２０番に設定し、ボーナスと小役とを含む当選エリアと小役のみを含む当選エリアとを当選番号１９番〜当選番号１番に設定することで、規定の試験装置に向けて出力する信号として当選番号を出力するように構成されている。
【０１２０】
なお、実施例の順序設定テーブルは、ボーナスと小役とを含む当選エリア、リプレイのみを含む当選エリア、小役のみを含む当選エリアの順に当選番号が設定されている。このため、スロットマシン１は、当選した当選エリアに係る信号を規定の試験装置に向けて出力する場合において、ボーナスと小役とを含む当選エリアに当選した場合と、リプレイのみを含む当選エリアに当選した場合と、には、試射試験に適合する順序に対応する数値に当選番号を変換する変換テーブルを用いて変換した数値を、規定の試験装置に出力する。
【０１２１】
ここで、当選番号を変換する変換テーブル及び当選番号を変換するプログラムは、記憶手段１９０のうち遊技の進行を制御するモジュールである遊技制御処理モジュールが記述された領域である使用領域とは別に設けられ、遊技制御処理モジュール以外のモジュールである別処理モジュールが記述された領域である別領域に記憶されており、使用領域から呼び出すことで実行可能に構成されている。
【０１２２】
比較例１において、乱数判定処理で当選したと判定する制御については実施例と同一（減算した結果乱数格納カウンタの記憶値が負の値となった場合に、減算に用いた値数に対応付けられた当選エリアを当選と判定）となっている。
【０１２３】
まず、遊技状態が非ＲＴ状態又はボーナス成立状態である場合について説明する。比較例１の内部抽選手段１２０は、遊技状態が非ＲＴ状態又はボーナス成立状態である場合における乱数判定処理において、当選番号２４番の当選エリア「ＲＢＢ」から順に各当選エリアの当否を決定していき、当選したと判定した時点で乱数判定処理を終了する。
【０１２４】
具体的には、まず、内部抽選手段１２０は、乱数生成手段１１０が生成した乱数を取得し、取得した乱数を記憶手段１９０に設けられた乱数格納カウンタに記憶させる。次に、内部抽選手段１２０は、内部抽選テーブルＡにおいて当選番号２４番の当選エリア「ＲＢＢ」に対応付けられている値数で乱数格納カウンタの記憶値を減算し、減算した結果を乱数格納カウンタに記憶させる。減算した結果、つまり乱数格納カウンタの記憶値が正の値である場合、内部抽選手段１２０は、当選番号２４番の次の当選番号である当選番号２３番の当選エリア「打順リプレイ３」に対応付けられている値数で、乱数格納カウンタの記憶値を減算し、減算した結果を乱数格納カウンタに記憶させる。
【０１２５】
内部抽選手段１２０は、内部抽選テーブルＡを参照して乱数判定処理を実行する場合、当選番号３番の当選エリア「打順ベル１」に対応付けられた値数で乱数格納カウンタの記憶値を減算し、減算した結果が正の値である場合、当選番号２番の当選エリア「全小役」と当選番号１番の当選エリア「全１枚役」には、内部抽選テーブルＡにおいて値数が対応付けられていないことから、乱数格納カウンタの記憶値を減算することなく処理を進める。そして、内部抽選手段１２０は、当選番号２４番〜当選番号１番のすべての当選エリアの当否を判定した結果、乱数格納カウンタの記憶値が正の値でありいずれの当選エリアにも当選していないと判定したことから、不当選であると判定し、乱数判定処理を終了する。
【０１２６】
このように、本実施例の内部抽選手段１２０は、内部抽選テーブルＡを参照して乱数判定処理を実行する場合、当選番号０番の不当選と、当選番号１番〜当選番号２４番の当選エリアと、の合計２５個の要素について、当否の判定を行うように構成されている。
【０１２７】
次に、遊技状態がＲＢＢ作動状態である場合について説明する。本実施例の内部抽選手段１２０は、遊技状態がＲＢＢ作動状態である場合における乱数判定処理において、内部抽選テーブルＢで値数が対応付けられている当選エリアが当選番号２番の当選エリア「全小役」と、当選番号１番の当選エリア「全１枚役」と、２つであることから、当選番号２番の当選エリア「全小役」から順に各当選エリアの当否を決定していき、当選したと判定した時点で乱数判定処理を終了する。
【０１２８】
具体的には、まず、内部抽選手段１２０は、乱数生成手段１１０が生成した乱数を取得し、取得した乱数を乱数格納カウンタに記憶させる。次に、内部抽選手段１２０は、内部抽選テーブルＢにおいて当選番号２番の当選エリア「全小役」に対応付けられている値数で乱数格納カウンタの記憶値を減算し、減算した結果を乱数格納カウンタに記憶させる。減算した結果、乱数格納カウンタの記憶値が負の値である場合、内部抽選手段１２０は、当選エリア「全小役」が当選したと判定する。一方、減算した結果、乱数格納カウンタの記憶値が正の値である場合、内部抽選手段１２０は、当選番号２番の次の当選番号である当選番号１番の当選エリア「全１枚役」に対応付けられている値数で、乱数格納カウンタの記憶値を減算し、減算した結果を乱数格納カウンタに記憶させる。減算した結果、乱数格納カウンタの記憶値が負の値である場合、内部抽選手段１２０は、当選エリア「全１枚役」が当選したと判定する。一方、減算した結果、乱数格納カウンタの記憶値が正の値である場合、内部抽選手段１２０は、当選番号２番、当選番号１番の内部抽選テーブルＢにおいて値数が対応付けられているすべての当選エリアの当否を判定した結果、乱数格納カウンタの記憶値が正の値でありいずれの当選エリアにも当選していないと判定したことから、不当選であると判定し、乱数判定処理を終了する。
【０１２９】
このように、本実施例の内部抽選手段１２０は、内部抽選テーブルＢを参照して乱数判定処理を実行する場合、当選番号０番の不当選と、当選番号１番、当選番号２番の当選エリアと、の合計３個の要素について、当否の判定を行うように構成されている。
【０１３０】
次に、内部抽選手段１２０によるボーナス当選判定処理について説明する。本実施例の内部抽選手段１２０は、当選番号２４番の当選エリア「ＲＢＢ」が乱数判定処理において当否を決定する対象となっている場合と、当選番号１９番の当選エリア「ＲＢＢ＆１枚役４」〜当選番号１６番の当選エリア「ＲＢＢ＆１枚役１」が乱数判定処理において当否を決定する対象となっている場合と、にボーナス当選判定処理を実行するように構成されており、当選番号２４番の当選エリア「ＲＢＢ」が乱数判定処理において当否を決定する対象となった場合にボーナス当選判定処理を開始し、当選番号２３番の当選エリア「打順リプレイ３」が乱数判定処理において当否を決定する対象なった場合にボーナス当選判定処理を終了し、当選番号１９番の当選エリア「ＲＢＢ＆１枚役４」が乱数判定処理において当否を決定する対象となった場合にボーナス当選判定処理を開始し、当選番号１５番の当選エリア「レア役」が乱数判定処理において当否を決定する対象なった場合にボーナス当選判定処理を終了するように構成されている。このため、内部抽選手段１２０は、ボーナス当選判定処理を開始及び終了する回数が、２回となっている。
【０１３１】
［比較例２］
図７は、比較例２の順序設定テーブルと、内部抽選テーブルＡ、内部抽選テーブルＢにおいて乱数が対応付けられている当選エリアと、について示す図である。図７に示す比較例２の順序設定テーブルは、ボーナスのみを含む当選エリア、ボーナスと小役とを含む当選エリア、小役のみを含む当選エリア、リプレイのみを含む当選エリア、不当選の順に当選番号が設定されている。乱数判定処理において当選したと判定する制御については実施例と同一（減算した結果乱数格納カウンタの記憶値が負の値となった場合に、減算に用いた値数に対応付けられた当選エリアを当選と判定）となっている。
【０１３２】
まず、遊技状態が非ＲＴ状態又はボーナス成立状態である場合について説明する。比較例２の内部抽選手段１２０は、内部抽選テーブルＡを参照して実行する乱数判定処理において、当選番号２４番の当選エリア「ＲＢＢ」に対応付けられた値数から順次乱数格納カウンタの記憶値を減算及び減算した結果の正の値を記憶させていき、当選番号７番の当選エリア「打順ベル１」に対応付けられた値数で乱数格納カウンタの記憶値を減算し、減算した結果、乱数格納カウンタの記憶値が正の値である場合、当選番号６番の当選エリア「全小役」と当選番号５番の当選エリア「全１枚役」には、内部抽選テーブルＡにおいて値数が対応付けられていないことから、乱数格納カウンタの記憶値を減算することなく処理を進める。
【０１３３】
次に、内部抽選手段１２０は、当選番号４番の当選エリア「打順リプレイ３」に対応付けられている値数で乱数格納カウンタの記憶値を減算し、減算した結果を乱数格納カウンタに記憶させる。減算した結果、乱数格納カウンタの記憶値が負の値である場合、内部抽選手段１２０は、当選エリア「打順リプレイ３」が当選したと判定する。一方、減算した結果、乱数格納カウンタの記憶値が正の値である場合、内部抽選手段１２０は、当選番号４番の次の当選番号である当選番号３番の当選エリア「打順リプレイ２」に対応付けられている値数で、乱数格納カウンタの記憶値を減算し、減算した結果を乱数格納カウンタに記憶させ、減算した結果が負の値となるまで順次減算及び減算した結果の乱数格納カウンタへの記憶を継続する。そして、内部抽選手段１２０は、当選番号２４番〜当選番号１番の内部抽選テーブルＡにおいて値数が対応付けられているすべての当選エリアの当否を判定した結果、乱数格納カウンタの記憶値が正の値でありいずれの当選エリアにも当選していないと判定した場合に、不当選であると判定し、乱数判定処理を終了する。
【０１３４】
このように、比較例２の内部抽選手段１２０は、内部抽選テーブルＡを参照して乱数判定処理を実行する場合、当選番号０番の不当選と、当選番号１番〜当選番号２４番の当選エリアと、の合計２５個の要素について、当否の判定を行うように構成されている。
【０１３５】
次に、遊技状態がＲＢＢ作動状態である場合について説明する。比較例２の内部抽選手段１２０は、遊技状態がＲＢＢ作動状態である場合における乱数判定処理において、内部抽選テーブルＢで値数が対応付けられている当選エリアが当選番号６番の当選エリア「全小役」と、当選番号５番の当選エリア「全１枚役」と、２つであることから、当選番号６番の当選エリア「全小役」から順に各当選エリアの当否を決定していき、当選したと判定した時点で乱数判定処理を終了する。
【０１３６】
具体的には、まず、内部抽選手段１２０は、乱数生成手段１１０が生成した乱数を取得し、取得した乱数を乱数格納カウンタに記憶させる。次に、内部抽選手段１２０は、内部抽選テーブルＢにおいて当選番号６番の当選エリア「全小役」に対応付けられている値数で乱数格納カウンタの記憶値を減算し、減算した結果を乱数格納カウンタに記憶させる。減算した結果、乱数格納カウンタの記憶値が負の値である場合、内部抽選手段１２０は、当選エリア「全小役」が当選したと判定する。一方、減算した結果、乱数格納カウンタの記憶値が正の値である場合、内部抽選手段１２０は、当選番号６番の次の当選番号である当選番号５番の当選エリア「全１枚役」に対応付けられている値数で、乱数格納カウンタの記憶値を減算し、減算した結果を乱数格納カウンタに記憶させる。減算した結果、乱数格納カウンタの記憶値が負の値である場合、内部抽選手段１２０は、当選エリア「全１枚役」が当選したと判定する。一方、減算した結果、乱数格納カウンタの記憶値が正の値である場合、内部抽選手段１２０は、当選番号４番の当選エリア「打順リプレイ３」〜当選番号１番の当選エリア「通常リプレイ」には、内部抽選テーブルＢにおいて値数が対応付けられていないことから、乱数格納カウンタの記憶値を減算することなく処理を進める。そして、内部抽選手段１２０は、当選番号６番〜当選番号１番のすべての当選エリアの当否を判定した結果、乱数格納カウンタの記憶値が正の値でありいずれの当選エリアにも当選していないと判定したことから、不当選であると判定し、乱数判定処理を終了する。
【０１３７】
このように、比較例２の内部抽選手段１２０は、内部抽選テーブルＢを参照して乱数判定処理を実行する場合、当選番号０番の不当選と、当選番号１番〜当選番号６番の当選エリアと、の合計７個の要素について、当否の判定を行うように構成されている。
【０１３８】
次に、内部抽選手段１２０によるボーナス当選判定処理について説明する。比較例２の内部抽選手段１２０は、当選番号２４番の当選エリア「ＲＢＢ」〜当選番号２０番の当選エリア「ＲＢＢ＆１枚役１」が乱数判定処理において当否を決定する対象となっている場合にボーナス当選判定処理を実行するように構成されており、当選番号２４番の当選エリア「ＲＢＢ」が乱数判定処理において当否を決定する対象となった場合にボーナス当選判定処理を開始し、当選番号１９番の当選エリア「レア役」が乱数判定処理において当否を決定する対象なった場合にボーナス当選判定処理を終了するように構成されている。このため、内部抽選手段１２０は、ボーナス当選判定処理を開始及び終了する回数が、１回となっている。
【０１３９】
＜実施例、比較例１、比較例２の比較＞
図８は、実施例、比較例１、比較例２のそれぞれの順序設定テーブルを用いた場合において、内部抽選手段１２０が参照する当選エリアの数と、ボーナス当選判定処理を実行する回数と、を示す図である。
【０１４０】
図８に示すように、内部抽選手段１２０は、図５に示す実施例の順序設定テーブル又は図６に示す比較例１の順序設定テーブルを用いて乱数判定処理を実行する場合、内部抽選テーブルＡを用いる際には当選番号２４番〜当選番号１番の２４個の当選エリア及び当選番号０番の不当選の計２５個が参照され、内部抽選テーブルＢを用いる際には当選番号２番、当選番号１番の２個の当選エリア及び当選番号０番の不当選の計３個が参照されるため、合計で２８個の当選エリア及び不当選が参照されることになる。
【０１４１】
一方、内部抽選手段１２０は、図７に示す比較例２の順序設定テーブルを用いて乱数判定処理を実行する場合、内部抽選テーブルＡを用いる際には当選番号２４番〜当選番号１番の２４個の当選エリア及び当選番号０番の不当選の計２５個が参照され、内部抽選テーブルＢを用いる際には当選番号６番〜当選番号１番の６個の当選エリア及び当選番号０番の不当選の計７個が参照されるため、合計で３２個の当選エリア及び不当選が参照されることになる。
【０１４２】
また、内部抽選手段１２０は、図５に示す実施例の順序設定テーブル又は図７に示す比較例２の順序設定テーブルを用いてボーナス当選判定処理を実行する場合、当選番号２４番〜当選番号２０番の当選エリアが乱数判定処理において当否を決定する対象となっている場合にボーナス当選判定処理を実行するように構成されており、ボーナス当選判定処理を開始及び終了する回数が、１回となっている。
【０１４３】
一方、内部抽選手段１２０は、図６に示す比較例１の順序設定テーブルを用いてボーナス当選判定処理を実行する場合、当選番号２４番の当選エリアと、当選番号１９番〜当選番号１６番の当選エリアと、が乱数判定処理において当否を決定する対象となっている場合にボーナス当選判定処理を実行するように構成されており、ボーナス当選判定処理を開始及び終了する回数が、２回となっている。
【０１４４】
このような構成であることから、本実施例の順序設定テーブルは、比較例１の順序設定テーブルを用いる場合よりも内部抽選手段１２０がボーナス当選判定処理を実行する回数を削減することができ、比較例２の順序設定テーブルを用いる場合よりも内部抽選手段１２０が乱数判定処理で参照する当選エリアの数を削減することができる。
【０１４５】
この、図５に示す順序設定テーブルにおいて内部抽選テーブルＡで値数が対応付けられている当選番号２４番〜当選番号３番の当選エリアが、本実施形態における第１当選領域を構成し、図５に示す順序設定テーブルにおいて内部抽選テーブルＢで値数が対応付けられている当選番号２番、当選番号１番の当選エリアが、本実施形態における第２当選領域を構成し、当選番号０番の不当選が、本実施形態における不当選領域を構成する。また、当選番号２４番の当選エリア「ＲＢＢ」が、本実施形態における第１ボーナス当選態様を構成し、当選番号２３番の当選エリア「ＲＢＢ＆１枚役４」〜当選番号２０番の当選エリア「ＲＢＢ＆１枚役１」が、本実施形態における第２ボーナス当選態様を構成する。
【０１４６】
４．本実施形態のまとめ
以上のように、本実施形態の遊技機（１）は、
複数のリール（Ｒ１，Ｒ２，Ｒ３）と、
小役、リプレイ及びボーナスを含む複数種類の役のうち少なくとも１つを含む複数種類の当選態様と、
前記複数種類の当選態様のそれぞれに対応付けられた複数の値数を記憶する内部抽選テーブルと、
乱数を取得し、該取得した乱数と前記内部抽選テーブルに記憶された複数の値数とを参照して前記複数種類の当選態様の当否を決定する乱数判定処理と、前記乱数判定処理で当選したと判定した当選態様に含まれる役を成立状態に設定する成立設定処理と、を行う内部抽選手段（１２０）と、
前記リールの回転態様及び停止態様を制御するリール制御手段（１３０）と、
前記複数のリールが停止した場合における有効ライン（Ｌ１）上の図柄組合せに基づいて、役の入賞判定を行う入賞判定手段（１４０）と、
複数の遊技状態の間での遊技状態の移行に係る制御を実行する遊技状態移行制御手段（１７０）と、
前記複数種類の当選態様と、前記内部抽選手段が不当選と扱う不当選領域と、を記憶し、前記内部抽選手段が前記乱数判定処理を実行する際における前記複数種類の当選態様の当否を決定する順序を設定する順序設定テーブルと、を備え、
前記複数の遊技状態は、
通常遊技状態と、
前記通常遊技状態において前記ボーナスが前記成立状態に設定されたことに基づいて移行するボーナス成立状態と、
前記ボーナス成立状態において前記ボーナスが入賞したことに基づいて移行するボーナス状態と、を含み、
前記内部抽選手段は、前記通常遊技状態及び前記ボーナス成立状態で共通の前記内部抽選テーブルを参照し、
前記順序設定テーブルは、
前記通常遊技状態及び前記ボーナス成立状態における前記乱数判定処理で参照される前記内部抽選テーブルにおいて値数が対応付けられている第１当選態様領域と、
前記ボーナス状態における前記乱数判定処理で参照される前記内部抽選テーブルにおいて値数が対応付けられている第２当選態様領域と、を記憶し、
前記内部抽選手段による前記乱数判定処理において前記複数種類の当選態様の当否が決定される順序として、前記第１当選態様領域に含まれる当選態様、前記第２当選態様領域に含まれる当選態様、前記不当選領域の順に設定されている。
【０１４７】
この構成により、本実施形態のスロットマシン１は、非ＲＴ状態及びボーナス成立状態において参照される内部抽選テーブルＡを用いた乱数判定処理においては、当選番号２４番〜当選番号１番の２４個の当選エリア及び当選番号０番の不当選の計２５個が参照され、ＲＢＢ作動状態において参照される内部抽選テーブルＢを用いた乱数判定処理においては、当選番号２番、当選番号１番の２個の当選エリア及び当選番号０番の不当選の計３個が参照されるため、乱数判定処理において参照される当選エリアの数を最小限の数に抑えることができ、遊技の進行に係る制御処理のうち内部抽選手段１２０による乱数判定処理で用いられるデータ及びプログラムの容量を低減できる。
【０１４８】
また、本実施形態において、
前記第１当選態様領域には、
前記ボーナスのみを有する第１ボーナス当選態様と、
前記ボーナスと他の役を含む第２ボーナス当選態様と、が含まれ、
前記順序設定テーブルは、前記内部抽選手段による前記乱数判定処理において前記複数種類の当選態様の当否が決定される順序として、前記第１ボーナス当選態様と前記第２ボーナス当選態様とが連続した順になるように設定されている。
【０１４９】
この構成により、本実施形態のスロットマシン１は、非ＲＴ状態及びボーナス成立状態で参照される内部抽選テーブルＡを用いた乱数判定処理において、当選番号２４番の当選エリア「ＲＢＢ」が当否を決定する対象となった場合にボーナス当選判定処理を開始し、当選番号２０番の当選エリア「ＲＢＢ＆１枚役１」の当否を決定する対象となり、ボーナス当選判定処理を実行した後に終了するように構成されることで、ボーナス当選判定処理を開始及び終了する回数を最小回数である１回にすることができ、遊技の進行に係る制御処理のうち内部抽選手段１２０によるボーナス当選判定処理で用いられるデータ及びプログラムの容量を低減できる。
【０１５０】
また、本実施形態において、
前記順序設定テーブルは、前記内部抽選手段による前記乱数判定処理において、前記第１ボーナス当選態様又は前記第２ボーナス当選態様が最初に当否を決定される順序に設定されている。
【０１５１】
この構成により、本実施形態のスロットマシン１は、非ＲＴ状態及びボーナス成立状態で参照される内部抽選テーブルＡを用いた乱数判定処理において、最初に乱数判定処理において当否を決定する対象となる当選番号２４番の当選エリア「ＲＢＢ」が当否を決定する対象となった場合にボーナス当選判定処理を開始することができ、乱数判定処理の開始時にボーナス当選判定処理を開始することができるため、遊技の進行に係る制御処理のうち内部抽選手段１２０によるボーナス当選判定処理で用いられるデータ及びプログラムの容量を低減できる。
【０１５２】
５．変形例
なお、本実施形態において、順序設定テーブルは、ボーナスのみを有する当選エリアである当選エリア「ＲＢＢ」の次にボーナスと小役とを含む当選エリアである当選エリア「ＲＢＢ＆１枚役４」が、乱数判定処理において当否を決定される対象となるように構成されているが、これに限定されない。順序設定テーブルは、ボーナスと小役とを含む当選エリア「ＲＢＢ＆１枚役４」〜当選エリア「ＲＢＢ＆１枚役１」の当否が決定された後にボーナスのみを有する当選エリアである当選エリア「ＲＢＢ」の当否が決定される対象となるように構成されていてもよい。
【０１５３】
つまり、順序設定テーブルは、当選番号２４番に当選エリア「ＲＢＢ＆１枚役４」を設定し、当選番号２３番に当選エリア「ＲＢＢ＆１枚役３」を設定し、当選番号２２番に当選エリア「ＲＢＢ＆１枚役２」を設定し、当選番号２１番に当選エリア「ＲＢＢ＆１枚役１」を設定し、当選番号２０番に当選エリア「ＲＢＢ」を設定していてもよい。
【０１５４】
また、本実施形態において、スロットマシン１は、乱数判定処理の結果、参照している内部抽選テーブルにおいて記憶されている値数で乱数格納カウンタの記憶値を減算し終えた時点で乱数格納カウンタの記憶値が正の値である場合に、不当選であると判定するように構成されており、不当選について、内部抽選テーブルで値数が対応付けられていない構成となっているが、これに限定されない。スロットマシン１は、内部抽選テーブルにおいて不当選にも値数を対応付け、不当選に対応付けた値数で乱数格納カウンタの記憶値を減算し、減算した結果が負の値となった場合に、不当選であると判定するように構成されていてもよい。
【０１５５】
また、本実施形態において、スロットマシン１は、内部抽選で当選可能な当選エリアとして、ボーナスのみを有する当選エリアと、ボーナスと小役とを含む当選エリアと、リプレイのみを有する当選エリアと、小役のみを有する当選エリアと、を有しているが、これに限定されない。スロットマシン１は、内部抽選で当選可能な当選エリアとして、ボーナスとリプレイとを含む当選エリアを有していてもよい。ボーナスとリプレイとを含む当選エリアを有する場合、順序設定テーブルは、ボーナスのみを有する当選エリアと、ボーナスと小役とを含む当選エリアと、ボーナスとリプレイとを含む当選エリアと、が乱数判定処理において連続した順で当否が決定されるように構成されていればよく、各当選エリアの先後はいずれであってもよい。
【０１５６】
また、本実施形態において、順序設定テーブルは、内部抽選手段１２０による乱数判定処理において複数種類の当選エリアの当否が決定される順序として、第１当選態様領域に含まれる当選エリア、第２当選態様領域に含まれる当選エリア、不当選領域の順に設定されているが、これに限定されない。順序設定テーブルは、例えば、第１当選領域に含まれる当選エリアの数よりも第２当選領域に含まれる当選エリアの方が多い場合、つまり、非ボーナス状態において参照される内部抽選テーブルで値数が対応付けられている当選エリアの数よりも、ボーナス状態において参照される内部抽選テーブルで値数が対応付けられている当選エリアの数の方が多い場合には、内部抽選手段１２０による乱数判定処理において複数種類の当選エリアの当否が決定される順序として、第２当選態様領域に含まれる当選エリア、第１当選態様領域に含まれる当選エリア、不当選領域の順に設定されていてもよい。
【０１５７】
また、本実施形態において、順位設定テーブルは、乱数判定処理において当否が決定される順序として、当選番号２４番から当選番号０番に向かうように当選番号が設定されているが、これに限らず、例えば、当選番号０番から当選番号２４番に向かうように当選番号が設定されていてもよい。
【０１５８】
また、本実施形態において、内部抽選手段１２０は、乱数判定処理において内部抽選テーブルにおいて記憶されている値数で乱数格納カウンタの記憶値を減算し、減算した結果が負の値となった場合に役の当選を決定するように構成されているが、これに限らず、例えば、乱数生成手段１１０から取得した乱数を乱数格納カウンタに記憶し、内部抽選テーブルにおいて記憶されている値数を乱数格納カウンタの記憶値に加算し、加算した結果が所定の値（例えば６５５３６）以上となった場合に、役の当選を決定するように構成されていてもよい。つまり、乱数判定処理において実行する演算は、減算に限らずいずれの演算であってもよい。
【０１５９】
また、本実施形態において、スロットマシン１は、各カウンタや記憶手段の記憶値に初期値として値をセットし、毎回の遊技の実行時に１ずつ減算するデクリメント更新や、毎回の遊技の実行時に１ずつ加算するインクリメント更新を実行するように構成されているが、これに限らず、各カウンタや記憶手段の更新方法については乗算や除算等を実行するように構成されていてもよく、特に限定されない。
【符号の説明】
【０１６０】
１        スロットマシン（遊技機）
１２０    内部抽選手段
１３０    リール制御手段
１４０    入賞判定手段
１７０    遊技状態移行制御手段
Ｌ１      有効ライン
Ｒ１      第１リール
Ｒ２      第２リール
Ｒ３      第３リール
【図１】
2020195697.tif 000003
【図２】
2020195697.tif 000004
【図３】
2020195697.tif 000005
【図４】
2020195697.tif 000006
【図５】
2020195697.tif 000007
【図６】
2020195697.tif 000008
【図７】
2020195697.tif 000009
【図８】
2020195697.tif 000010